(57)【特許請求の範囲】
【請求項１】
所定の順序で並べられた複数の項目が記憶される記憶手段と、
前記複数の項目のうち、少なくとも選択項目を含む一部の項目を表示する表示手段と、
前記選択項目の１つ前方の項目を新たな選択項目にする順方向選択操作と、前記選択項目の１つ後方の項目を新たな選択項目にする逆方向選択操作と、を受け付ける操作手段と、
前記順方向選択操作により所定の第１基準項目が前記選択項目になったとき、その後の前記逆方向選択操作を無効にせずにその後の前記順方向選択操作を所定期間だけ無効にすると共に、前記逆方向選択操作により所定の第２基準項目が前記選択項目になったとき、その後の前記順方向選択操作を無効にせずにその後の前記逆方向選択操作を所定期間だけ無効にする無効化手段とを備えることを特徴とするオーディオ機器。
【請求項２】
請求項１に記載のオーディオ機器において、
前記第１基準項目と前記第２基準項目とは同一の項目であることを特徴とするオーディオ機器。
【請求項３】
請求項１または２に記載のオーディオ機器において、
前記表示手段は、前記記憶手段に記憶される複数の項目のうち、前記選択項目のみを表示することを特徴とするオーディオ機器。
【発明の詳細な説明】
【技術分野】
【０００１】
本発明は、オーディオ機器に関する。
【背景技術】
【０００２】
現在利用されているオーディオ機器には、多数の楽曲から再生する楽曲を任意に選択可能なものが存在する。この機能は、例えば以下のようにして実現される。まずオーディオ機器が、多数の楽曲に順序付けを行い楽曲リストを作成する。そして、楽曲リストの先頭から順に、いくつかの楽曲名を画面に表示する。ユーザはスクロール操作などにより画面に表示される楽曲を切り替えつつ、画面に表示された楽曲を視認しいずれかの楽曲を選択する。
【０００３】
上述の楽曲リストのように、ユーザに複数の項目からいずれかの項目を選択させる際には、所定の項目に到達した時に一定の操作無効時間を設けることがある。このような操作無効時間を設けると、スクロール操作を連続的に行った場合に、例えば楽曲リストの始端および終端のように特徴的な項目に到達したことをユーザに効果的に伝えることができる。例えば特許文献１には、グループ化された楽曲名を画面に表示し、グループが切り替わる度に、すなわちグループの始端に到達する度に、入力装置からの信号を一定期間無効にするオーディオ機器が記載されている。
【先行技術文献】
【特許文献】
【０００４】
【特許文献１】特開２００５−４８９１号公報
【発明の概要】
【発明が解決しようとする課題】
【０００５】
楽曲リストや操作メニューなど一定順序で並んだリストの操作において、リストの始端や終端に近い項目を選択する場合、ユーザは一旦リストの始端や終端までスクロールしてから少しずつリストを辿ることにより目的の項目を選択することが多い。特許文献１に記載されたオーディオ機器は、一定順序で楽曲を並べたリストであるグループの始端に移動すると、常に一定の待ち時間を発生させる。そのため、ユーザが上記のような操作を行う場合、始端に到達してから常に一定時間待ってから次の操作を行わなければならず、スムーズに操作することができないという問題があった。
【課題を解決するための手段】
【０００６】
本発明に係るオーディオ機器は、所定の順序で並べられた複数の項目が記憶される記憶手段と、前記複数の項目のうち、少なくとも選択項目を含む一部の項目を表示する表示手段と、前記選択項目の１つ前方の項目を新たな選択項目にする順方向選択操作と、前記選択項目の１つ後方の項目を新たな選択項目にする逆方向選択操作と、を受け付ける操作手段と、前記順方向選択操作により所定の第１基準項目が前記選択項目になったとき、その後の前記逆方向選択操作を無効にせずにその後の前記順方向選択操作を所定期間だけ無効にすると共に、前記逆方向選択操作により所定の第２基準項目が前記選択項目になったとき、その後の前記順方向選択操作を無効にせずにその後の前記逆方向選択操作を所定期間だけ無効にする無効化手段とを備えることを特徴とする。
【発明の効果】
【０００７】
本発明によれば、リストの操作を従来よりスムーズに行うことができる。
【図面の簡単な説明】
【０００８】
【図１】本発明の第１の実施の携帯に係るオーディオ機器１００の構成を示すブロック図である。
【図２】オーディオ機器１００の正面図である。
【図３】メニューの階層構造の例を示す図である。
【図４】メニューＭ２の選択項目の遷移図である。
【図５】制御回路１０１によるメニュー操作処理のフローチャートである。
【図６】本発明を文字入力に対し適用した例を示す図である。
【発明を実施するための形態】
【０００９】
（第１の実施の形態）
図１は、本発明の第１の実施の携帯に係るオーディオ機器１００の構成を示すブロック図である。オーディオ機器１００は車載型の装置であり、楽曲やラジオ番組等の再生を行う機能を有する。オーディオ機器１００を構成する各部は、ＣＰＵなどを含む制御回路１０１により制御される。制御回路１０１は、ＲＯＭ１０２から所定の制御プログラムを読み出して実行することにより、各部を制御する。この制御プログラムは、ＤＲＡＭ１０３を作業領域として使用する。
【００１０】
オーディオ機器１００は、複数の楽曲データが格納されたハードディスクドライブ（ＨＤＤ）１０４と、音楽ＣＤ１１０を読み取り可能なＣＤドライブ１０５と、ラジオ放送を受信する受信機１０６と、を備える。制御回路１０１は、これらの装置により音声信号を生成し、スピーカ１０７より再生する。ユーザは、入力装置１０８が有する各種のボタンおよびスイッチ（後述）を用いて、再生する楽曲の選択を含む各種の操作を行う。ＬＣＤモニタ１０９には、楽曲の再生状況、およびユーザによる操作の状態（後述）が表示される。
【００１１】
制御回路１０１は、選択項目（後述）をＬＣＤモニタ１０９に表示する選択項目表示部１０１ａと、入力装置１０８から送信される入力信号に応じて選択項目を変更する選択操作部１０１ｂとを有する。これらの各機能部は、制御回路１０１がＲＯＭ１０２に格納されている所定の制御プログラムを実行することにより、ソフトウェア的に実現される。これらの各機能部が実行する処理については後に詳述する。
【００１２】
（オーディオ機器１００の外観の説明）
図２は、オーディオ機器１００の正面図である。オーディオ機器１００を車両に搭載したとき、オーディオ機器１００の図２に示した面のみが外部に露出する。図２に示すように、オーディオ機器１００の正面は長方形であり、例えば幅１８０ｍｍ、高さ５０ｍｍの大きさとなっている。オーディオ機器１００の正面にはＬＣＤモニタ１０９と、プッシュボタン１０８ａと、ロータリースイッチ１０８ｂと、が設けられている。
【００１３】
ＬＣＤモニタ１０９の画面には１行の文字列を表示することが可能である。制御回路１０１はＬＣＤモニタ１０９に、選択項目（後述）の名称、再生中の楽曲のタイトルなどを表示させる。
【００１４】
入力装置１０８は、プッシュボタン１０８ａとロータリースイッチ１０８ｂとを備えている。ユーザがこれらの操作部材を操作すると、入力装置１０８はユーザの操作に応じた入力信号を制御回路１０１へ送信する。プッシュボタン１０８ａはオーディオ機器１００の動作のオンオフを切り替えるボタンである。ロータリースイッチ１０８ｂはメニュー項目（後述）の選択操作および決定操作を行うスイッチである。ロータリースイッチ１０８ｂは、左右に回転させる操作と、スイッチを押下する操作が可能に構成される。
【００１５】
（メニューの説明）
制御回路１０１は、階層構造を有する複数のメニューをユーザに対して提供する。これらのメニューに関するデータは、ＲＯＭ１０２に格納されている。ユーザは、これら複数のメニューを用いてオーディオ機器１００を操作する。制御回路１０１は複数のメニューのうち１つを有効にし、ユーザの操作は有効になっているメニューに対して行われる。
【００１６】
個々のメニューは、順序付けされた１つ以上のメニュー項目から構成されている。制御回路１０１は、現在有効になっているメニューを構成するメニュー項目のうち、いずれか１つを選択状態にする。以下の説明では、選択状態になっているメニュー項目を選択項目と呼ぶ。ユーザはロータリースイッチ１０８ｂを用いた選択操作により、他のメニュー項目を選択状態にする、すなわち選択項目を変更することが可能である。
【００１７】
本実施形態では、ロータリースイッチ１０８ｂを左右へ一定量回転させる操作を選択操作と呼ぶ。特に、ロータリースイッチ１０８ｂを時計回り方向へ一定量回転させる操作を順方向選択操作、反時計回り方向へ一定量回転させる操作を逆方向選択操作と呼ぶ。ユーザが順方向選択操作を行うと、選択操作部１０１ｂが選択項目の次のメニュー項目を新たに選択項目とする。つまり、選択項目が前方へ移動する。同様に、ユーザが逆方向選択操作を行うと、選択操作部１０１ｂが選択項目の前のメニュー項目を新たに選択項目とする。つまり、選択項目が後方へ移動する。ロータリースイッチ１０８ｂは連続的に回転させることができる。例えば、ロータリースイッチ１０８ｂを時計回り方向に連続的に回転させると、選択項目は前方へ次々に移動していく。選択項目表示部１０９ａは、現在の選択項目の名称をＬＣＤモニタ１０９に表示させる。
【００１８】
ユーザがロータリースイッチ１０８ｂを用いた決定操作を行うと、制御回路１０１は選択項目に応じた処理を実行する。本実施形態では、ロータリースイッチ１０８ｂを押下する操作を決定操作と呼ぶ。以下、制御回路１０１が決定操作に応じて実行する処理について、例を挙げて説明する。
【００１９】
図３は、メニューの階層構造の例を示す図である。図３では、各々のメニュー項目を、メニュー項目の名称が記された長方形により表している。例えば、メニュー項目Ｅ２１は「Ｂａｃｋ」という名称のメニュー項目である。また、図３では、複数のメニュー項目を上下方向に並べることにより各々のメニューを表している。例えば、図３に示したメニューＭ２は、メニュー項目Ｅ２１〜Ｅ２６から成るメニューである。
【００２０】
図３では、メニュー項目の上下関係がメニュー項目同士の順序を表している。例えば、メニューＭ２において、メニュー項目Ｅ２２の次のメニュー項目はメニュー項目Ｅ２３であり、メニュー項目Ｅ２２の前のメニュー項目はメニュー項目Ｅ２１である。従って、メニュー項目Ｅ２２が選択状態のときに順方向選択操作が行われると、メニュー目Ｅ２３が新たに選択状態となる。同様に、逆方向選択操作が行われれば、メニュー項目Ｅ２１が新たに選択状態となる。
【００２１】
図３において、各メニュー項目間の矢印は、一方のメニュー項目において決定操作が為されると、矢印により接続された他方のメニューが新たに有効となることを意味している。例えば、図３において、メニュー項目Ｅ１１とメニュー項目Ｅ２１とが矢印Ａ１２で接続されている。これは、メニューＭ１が有効且つメニュー項目Ｅ１１が選択状態となっているときにユーザが決定操作を行うと、制御回路１０１が新たにメニューＭ２を有効にすることを意味している。またこのとき、メニュー項目Ｅ２１が新たに選択状態とされる。なお、メニュー項目Ｅ２１が選択状態となっている場合についても同様に、メニューＭ２が有効になると共にメニュー項目Ｅ１１が新たに選択状態となる。
【００２２】
オーディオ機器１００の電源投入後は、制御回路１０１により所定のメニューが有効にされると共に、当該メニュー中の所定のメニュー項目が選択項目とされる。本実施形態では、最上位のメニューであるメニューＭ１が有効になると共に、メニュー項目Ｅ１１が選択状態となる。メニューＭ１を構成する各メニュー項目は、それぞれ楽曲の再生元となる装置に対応している。例えば、メニュー項目Ｅ１１はＨＤＤ１０４に、メニュー項目Ｅ１２はＣＤドライブ１０５に、メニュー項目Ｅ１３は受信機１０６にそれぞれ対応している。ユーザがこれらのメニュー項目からいずれか１つを選択して決定操作を行うと、選択操作部１０１ｂは各装置に応じたメニューを有効にする。
【００２３】
例えばメニュー項目Ｅ１１が選択されると、図３の矢印Ａ１２が示す通り、メニューＭ２が有効になる。メニューＭ２はＨＤＤ１０４に記憶されている楽曲を選択するためのメニュー項目Ｅ２２〜Ｅ２６を含んでいる。ここでメニュー項目Ｅ２２が選択されると、制御回路１０１はＨＤＤ１０６に記憶されているプレイリストの一覧メニューを有効にする。このメニューは、各々のメニュー項目がＨＤＤ１０６に記憶されているプレイリストの１つ１つに対応している。ユーザがこのメニューからいずれか１つのメニュー項目を選択して決定操作を行うと、制御回路１０１は選択項目に対応するプレイリストの再生を開始する。
【００２４】
同様に、メニュー項目Ｅ２３が選択されるとアルバム名の一覧メニューが、メニュー項目Ｅ２４が選択されると楽曲名の一覧メニューが、メニュー項目Ｅ２５が選択されるとアーティスト名の一覧メニューが、メニュー項目Ｅ２６が選択されるとジャンル名の一覧メニューが、それぞれ有効になる。その後、ユーザがこれらのメニューからいずれか１つのメニュー項目を選択して決定操作を行うと、制御回路１０１はメニュー項目に対応する処理を実行する。例えば特定のアルバム名に対応するメニュー項目において決定操作が行われれば、そのアルバム名に関連付けられた楽曲の再生を開始する。以上のように、ユーザは階層構造を有するメニューからメニュー項目を次々に選択していくことにより、最終的に目的の機能を実行するためのメニュー項目に到達する。
【００２５】
（メニューの先頭および末尾の説明）
任意のメニュー内の先頭に位置するメニュー項目が選択状態のときに第２の選択操作が行われると、選択操作部１０１ｂは同メニュー内の末尾のメニュー項目を選択状態にする。すなわち、選択操作部１０１ｂは先頭のメニュー項目と末尾のメニュー項目とがあたかも連続しているかのように振る舞う。同様に、末尾のメニュー項目が選択状態のときに第１の選択操作が行われると、選択操作部１０１ｂは同メニュー内の先頭のメニュー項目を選択状態にする。
【００２６】
例えば図３において、メニュー項目Ｅ２１が選択状態のときにユーザにより逆方向選択操作が行われると、選択操作部１０１ｂは末尾のメニュー項目Ｅ２６を選択状態とする。また、メニュー項目Ｅ２６が選択状態のときにユーザにより順方向選択操作が行われると、選択項目１０１ｂはメニュー項目Ｅ２１を選択状態とする。
【００２７】
図４は、メニューＭ２の選択項目の遷移図である。図４では、長方形がメニュー項目を表し、メニュー項目間の矢印は選択操作による選択項目の遷移を表す。図４に矢印で示すように、ユーザは先頭のメニュー項目Ｅ２１から末尾のメニュー項目Ｅ２６へ逆方向選択操作により選択項目を直接遷移させることが可能である。同様に、ユーザは末尾のメニュー項目Ｅ２６から先頭のメニュー項目Ｅ２１へ順方向選択操作により選択項目を直接遷移させることが可能である。
【００２８】
各メニューには予め、２つのメニュー項目を基準項目として特別に扱うような設定が為されている。本実施形態では各メニューの末尾のメニュー項目が第１基準項目として、また各メニューの先頭のメニュー項目が第２基準項目としてそれぞれ設定されている。制御回路１０１は、順方向選択操作により第１基準項目すなわち末尾のメニュー項目が選択状態になると、選択操作部１０１ｂによる順方向選択操作の受付が一定時間（例えば５００ミリ秒）為されないようにする。つまり、順方向選択操作を一定時間無効にする。ただし、上記の時間内であっても、逆方向への選択操作すなわち逆方向選択操作の受付は行われる。図４の例で説明すると、例えばメニュー項目Ｅ２５が選択状態のときにユーザが順方向選択操作を行い第１基準項目であるメニュー項目Ｅ２６が選択状態になると、制御回路１０１は５００ミリ秒の間順方向選択操作を無効にする。同様に、逆方向選択操作によりメニュー項目Ｅ２２から第２基準項目であるメニュー項目Ｅ２１へ選択項目が遷移すると、選択操作部１０１ｂによる逆方向選択操作の受付が一定時間為されなくなる。
【００２９】
図５は、制御回路１０１によるメニュー操作処理のフローチャートである。図５に示す処理は、制御回路１０１がＲＯＭ１０２から読み込んだ所定の制御プログラムを実行することにより実現される。
【００３０】
まずステップＳ５００では、制御回路１０１が変数ｄを空に設定する。ステップＳ５１０では、制御回路１０１が入力装置１０８からの操作の受付を行う。ステップＳ５２０では、ステップＳ５１０において受付が行われた操作が選択操作であるか否かを判定する。ステップＳ５１０で受付が行われた操作が選択操作以外の操作（例えば決定操作）であった場合にはステップＳ６００へ進み、制御回路１０１は操作に応じた処理を実行して処理を終了する。他方、ステップＳ５２０において肯定判定が為された場合にはステップＳ５３０へ進む。
【００３１】
ステップＳ５３０では、制御回路１０１により後述するタイマーが作動しているか否かを判定する。タイマーが作動中であった場合には肯定判定がなされ、ステップＳ５４０へ進む。ステップＳ５４０では、制御回路１０１が変数ｄの内容とステップＳ５１０で受付が行われた操作とが一致するか否かを判定する。これら２つが一致した場合にはステップＳ５１０へ戻る。他方、変数ｄと受付が行われた操作とが一致しなかった場合にはステップＳ５５０へ進む。ステップＳ５５０では、選択操作部１０１ｂが選択項目を変更する。選択項目の変更は、ステップＳ５１０において受付が行われた選択操作に基づいて行われる。ステップＳ５５１では、制御回路１０１が作動中のタイマーを停止させる。処理はその後ステップＳ５１０へ戻る。
【００３２】
ステップＳ５３０において否定判定がなされた場合にはステップＳ５６０へ進む。ステップＳ５６０ではステップＳ５５０と同様に、ステップＳ５１０において受付が行われた操作に基づき、選択操作部１０１ｂが選択項目を変更する。ステップＳ５７１では、制御回路１０１が、新たな選択項目は第１基準項目（例えば図４のメニュー項目Ｅ２６）であるか否かを判定する。新たな選択項目が第１基準項目すなわちメニューの末尾のメニュー項目であった場合、ステップＳ５７１において肯定判定がなされ、ステップＳ５７２へ進む。他方、ステップＳ５７１において否定判定がなされた場合には、処理はステップＳ５７３へ進む。
【００３３】
ステップＳ５７２では、制御回路１０１が、ステップＳ５１０において直前に受付された操作が順方向選択操作か否かを判定する。ステップＳ５７２において肯定判定がなされた場合にはステップＳ５８１に進む。ステップＳ５８１では、制御回路１０１が変数ｄに順方向選択操作を表す値を設定する。ステップＳ５９０では、制御回路１０１が所定時間（例えば５００ミリ秒）だけ動作する不図示のタイマーの動作を開始させ、ステップＳ５１０へ戻る。他方、ステップＳ５７２において否定判定がなされた場合には、処理はステップＳ５１０へ戻る。
【００３４】
ステップＳ５７３では、制御回路１０１が、新たな選択項目は第２基準項目（例えば図４のメニュー項目Ｅ２１）であるか否かを判定する。新たな選択項目が第２基準項目すなわちメニューの先頭のメニュー項目であった場合、ステップＳ５７３において肯定判定がなされ、ステップＳ５７４へ進む。他方、ステップＳ５７３において否定判定がなされた場合には、処理はステップＳ５１０へ戻る。
【００３５】
ステップＳ５７４では、制御回路１０１が、ステップＳ５１０において直前に受付された操作が逆方向選択操作か否かを判定する。ステップＳ５７４において肯定判定がなされた場合にはステップＳ５８２に進む。ステップＳ５８２では、制御回路１０１が変数ｄに逆方向選択操作を表す値を設定する。処理はステップＳ５９０に進み、制御回路１０１により前述の場合と同様に不図示のタイマーの動作が開始される。他方、ステップＳ５７４において否定判定がなされた場合には、処理はステップＳ５１０へ戻る。
【００３６】
なお、図５に示すフローチャートでは、順方向選択操作により第１基準項目が選択状態になった場合にタイマーの動作を開始させ、逆方向選択操作により第１基準項目が選択状態になった場合にはタイマーの動作を開始させないようにしている。これを、いずれの場合であってもタイマーを動作させるようにしてもよい。具体的には、各々の場合ごとにタイマーの動作時間を変更すれば、図５に示すフローチャートと同一の結果が得られる。すなわち、順方向選択操作により第１基準項目が選択状態になった場合にはタイマーの動作時間を５００ミリ秒とし、逆方向選択操作により第１基準項目が選択状態になった場合にはタイマーの動作時間をゼロとすればよい。第２基準項目についても同様である。
【００３７】
上述した第１の実施の形態によるオーディオ機器によれば、次の作用効果が得られる。
（１）制御回路１０１は、順方向選択操作によりメニュー末尾のメニュー項目が選択項目になったとき、順方向選択操作を５００ミリ秒だけ無効にすると共に、逆方向選択操作によりメニュー先頭のメニュー項目が選択項目になったとき、逆方向選択操作を５００ミリ秒だけ無効にする。このようにしたので、メニューの先頭および末尾に達した際、速やかに逆方向へ選択項目を変更することができ、従来よりスムーズな操作を行うことができる。
【００３８】
（第２の実施の形態）
第２の実施の形態に係るオーディオ機器は、各メニューの先頭のメニュー項目のみを基準項目として扱う。なお、図１に示す第１の実施の形態と同一の回路および装置には同一の符号を付し、説明を省略する。
【００３９】
本実施形態のオーディオ機器は、第１の実施の形態に係るオーディオ機器と同様の階層化された複数のメニューを有する。第１の実施の形態ではこれら複数のメニューにおいて、末尾のメニュー項目が第１基準項目に、先頭のメニュー項目が第２基準項目にそれぞれ設定されていた。本実施形態では、各メニューにおける先頭のメニュー項目が第１基準項目であると共に第２基準項目である。
【００４０】
例えば図３において、メニュー項目Ｅ２２が選択項目のときに逆方向選択操作を行い、新たに先頭のメニュー項目Ｅ２１が選択項目になると、一定時間逆方向選択操作の受付が為されなくなる点は第１の実施の形態と同様である。他方、メニュー項目Ｅ２５が選択項目のときに順方向選択操作を行い、新たに末尾のメニュー項目Ｅ２６が選択項目になっても、操作の受付が為されなくなることはない。その代わり、メニュー項目Ｅ２６が選択項目のときに順方向選択操作を行い、新たに先頭のメニュー項目Ｅ２１が選択項目になると、一定時間順方向選択操作の受付が為されなくなる。
【００４１】
上述した第２の実施の形態によるオーディオ機器によれば、第１の実施の形態によるオーディオ機器と同様の作用効果が得られる。
【００４２】
次のような変形も本発明の範囲内であり、変形例の一つ、もしくは複数を上述の実施形態と組み合わせることも可能である。
【００４３】
（変形例１）
順方向選択操作と逆方向選択操作とを、ロータリースイッチ以外の操作部材により行うようにしてもよい。例えば、順方向選択操作と逆方向選択操作の各々に独立したボタンを用意してもよい。あるいは、レバーを一方に傾ける操作が順方向選択操作、他方に傾ける操作が逆方向選択操作であるとしてもよい。
【００４４】
（変形例２）
上述の実施の形態では、メニュー項目が所定順序で並べられたメニューに対し本発明を適用した例を説明した。本発明は、メニューおよびメニュー項目以外の操作に対しても適用することが可能である。
【００４５】
図６は、本発明を文字入力に対し適用した例を示す図である。図６には、ユーザが画面２００に表示されている四角形Ｂ１〜Ｂ８に対しロータリースイッチにより１文字ずつアルファベットを入力する様子を示している。現時点で文字入力の対象となっている四角形Ｂ８には、上下に三角形のカーソル２０１、２０２が表示される。ロータリースイッチを左右に回転させることにより、四角形Ｂ８に表示される文字が、アルファベットのＡからＺの順に切り替わる。すなわち、図６において選択操作により選択される項目とは、ＡからＺの各文字により表される文字項目である。このとき、基準項目は例えば文字Ａにより表される文字項目と、文字Ｚにより表される文字項目とする。
【００４６】
（変形例３）
第１の実施の形態に係るオーディオ機器において、メニューの構成は図３に示すものに限らない。また、メニューが図３に示すような階層構造を備えていなくてもよい。
【００４７】
（変形例４）
第１の実施の形態では、先頭のメニュー項目が逆方向選択操作により選択項目となった場合に５００ミリ秒の無効時間を設けていたが、この無効時間は逆方向選択操作にのみ適用されていた。すなわち、上記の時間内であっても、順方向選択操作を行うことは可能であった。これに対し、先頭のメニュー項目が逆方向選択操作により選択項目となった場合に、順方向選択操作についても一定時間無効となるように制御回路１０１を構成してもよい。例えば、順方向選択操作が２００ミリ秒の間無効になると共に、逆方向選択操作が５００ミリ秒の間無効になるようにしてもよい。
【００４８】
（変形例５）
第１および第２の実施の形態では、基準項目が予め定められていた。本発明はこのような構成に限定されない。例えば、基準項目をユーザが任意に指定できる構成としてもよい。
【００４９】
（変形例６）
メニューの先頭や末尾以外のメニュー項目を基準項目としてもよい。例えばメニューのちょうど中央に位置するメニュー項目を基準項目としてもよい。このような構成が適したメニューの例として、−５〜＋５までの１１個の整数からいずれか１つを選択するメニューが挙げられる。この場合、選択可能な値の中央値である「０」に対応するメニュー項目を基準項目にすることが望ましい。
【００５０】
（変形例７）
ＬＣＤモニタ１０９に、選択項目以外のメニュー項目を同時に表示してもよい。例えば、選択項目の前後２つのメニュー項目を、選択項目と同時に表示するようにしてもよい。
【００５１】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５２】
１００…オーディオ機器、１０１…制御回路、１０１ａ…選択項目表示部、１０１ｂ…選択操作部、１０２…ＲＯＭ、１０３…ＤＲＡＭ、１０４…ＨＤＤ、１０５…ＣＤドライブ、１０６…受信機、１０７…スピーカ、１０８…入力装置、１０８ａ…プッシュボタン、１０８ｂ…ロータリースイッチ、１０９…ＬＣＤモニタ
【図１】
0005637726.tif 000002
【図２】
0005637726.tif 000003
【図３】
0005637726.tif 000004
【図４】
0005637726.tif 000005
【図５】
0005637726.tif 000006
【図６】
0005637726.tif 000007